(57)【要約】【課題】フリーアクセスフロアの床下を通るケーブル同士を、必要に応じて高さ方向に離して配線することができる支持台連結ユニットを提供する。【解決手段】フリーアクセスフロア２に用いられるパネル部材８を支持する支持台１２と、この支持台１２の下端部同士を連結し、支持台同士の間隔を保持する連結帯４２とを備えた支持台連結ユニット８０であって、支持台１２に支持されたパネル部材８の下方を通る複数のケーブル３２同士を互いに高さ方向に離間させる高さ方向離間部材８２，８４を有するようにした。【効果】フリーアクセスフロアの床下を通るケーブル同士を、必要に応じて高さ方向に離して配線することができる。【選択図】図１５
2009079377.tif 000002
【特許請求の範囲】
【請求項１】
フリーアクセスフロアに用いられるパネル部材を支持する支持台と、この支持台の下端部同士を連結し、支持台同士の間隔を保持する連結帯とを備えた支持台連結ユニットであって、
前記支持台に支持された前記パネル部材の下方を通る複数のケーブル同士を互いに高さ方向に離間させる高さ方向離間部材を有することを特徴とする支持台連結ユニット。
【請求項２】
前記高さ方向離間部材は、当該支持台連結ユニットを載置する載置面から高さ方向に離れて略水平方向に伸びるよう形成されることを特徴とする請求項１に記載の支持台連結ユニット。
【請求項３】
前記連結帯の長さ方向の両端側のそれぞれに、この連結帯の長さ方向に厚さを有し、この厚さ方向に互いに離れて対向するように配置される一対の支持板が設けられ、
前記高さ方向離間部材が、前記一対の支持板の間に連続して、又は途中で分断されて設けられた横棒であることを特徴とする請求項１に記載の支持台連結ユニット。
【請求項４】
前記高さ方向離間部材が、前記横棒同士の間に連続して、又は途中で分断されて設けられた横板であることを特徴とする請求項３に記載の支持台連結ユニット。
【請求項５】
前記横棒及び前記横板の少なくとも一方が、水平方向離間用突起部を有することを特徴とする請求項３又は４に記載の支持台連結ユニット。
【発明の詳細な説明】
【技術分野】
【０００１】
本発明は、フリーアクセスフロアに用いられるパネル部材を支持する複数の支持台を連結した支持台連結ユニットに関するものである。
【背景技術】
【０００２】
図１７は、部屋の床部に敷設された従来のフリーアクセスフロア２の、壁３寄りの領域を示す平面図である。この従来のフリーアクセスフロア２の敷設作業の途中段階において、壁３からある程度離れている領域では、図１８に示すように、複数の支持台連結ユニット４を、互いに間隔を空けて下地床面６上に配置する作業が行なわれる。
【０００３】
この支持台連結ユニット４は、フリーアクセスフロア２の床板となる４枚のパネル部材８が載置可能な、図１９に示すような、水平面において互いに直交する二方向に３行３列に並んで配置された９つの支持台１２と、合成樹脂製の支持台連結帯２２（以下、「連結帯２２」という。）とを備えて構成されている（例えば、特許文献１の図１５参照）。
【０００４】
支持台１２のそれぞれは、高さ中央部のパイプ材１６、このパイプ材１６の上端部に設けられるキャップ１８、及びパイプ材１６を支持する受け台２０を備えて構成されている。支持台１２の各受け台２０には、図２０に示すように、嵌合部２４が形成されており、各嵌合部２４にはパイプ材１６の下端部が嵌合している。また、連結帯２２は、図１９に示すように、水平面の前記二方向に互いに隣合う受け台２０同士を一体的に連結するように、工場における製造工程において予め形成されている。
【０００５】
受け台２０同士の水平面の互いに直交する二方向におけるピッチ間隔（各嵌合部２４の中心間の間隔）は、図１７に示すパネル部材８の上記二方向におけるピッチ間隔と同じ長さになるように、連結帯２２の長さが設定されている。これにより、受け台２０の嵌合部２４のそれぞれに嵌合する９つのパイプ材１６及びキャップ１８の互いのピッチ間隔は、図１
８に示すように、パネル部材８のピッチ間隔と同じ長さに維持されるようになっている。
【０００６】
図２１は、図１９，２０における支持台１２のキャップ１８を示す平面図である。同図に示すように、キャップ１８は、その上端面１８ａ上に開口するよう形成されて、後述するパネル部材８の折曲った側板部３０と係合可能な４本の溝部２６を有している。
【０００７】
このキャップ１８の４本の溝部２６は、これら４本の中の２本が、上端面１８ａ上の一方向に伸びるよう互いに平行に一定間隔で並んで配置され、この２本と直角に交差する他方向に、他の２本が互いに平行に一定間隔で並んで配置されている。これら４本の溝部２６は、互いに平行に並んで配置される２本の組合せ同士が、互いの長さ方向の中央部において交差している。
【０００８】
また、図２２は、図１７におけるパネル部材８を示す平面図である。パネル部材８は、定形部材であって、同図に示すように、略正方形の平面形状を有する天板部２８と、この天板部２８の四辺のそれぞれに、下地床面６側（図２２中、紙面に垂直方向の奥側）に一定高さを有するよう折曲げて形成される側板部３０とを有している。
【０００９】
このようなパネル部材８を、図１９に示す３行３列に並んで配置された９つの支持台１２の上に、４枚水平に２行２列に並べて載置することにより、図１８に示すようなパネルユニット３１を組立て上げることができる。このようなパネルユニット３１の各パネル部材８は、図２２に示す天板部２８の各隅部が、図１９に示す９つの支持台１２のうちの対応する各支持台１２のキャップ１８上に載置されると共に、図２２に示す各側板部３０の両端部のそれぞれが、対応するキャップ１８の図２１に示す上端面１８ａの面積の各４分の１内の、互いに直交する各２本の溝部２６に嵌合するようになっている。
【００１０】
図１８に示すように、パネルユニット３１のそれぞれは、互いに隣り合って対向する支持台１２の中心部間が、パネル部材８のピッチ間隔とほぼ同じ長さだけ互いに離れて、下地床面６上に配置されている。
【００１１】
そして、パネルユニット３１同士の間のパネル部材８が配置されていない領域には、パネルユニット３１のパネル部材８の外形よりも外側にはみ出した各支持台１２のキャップ１８の上端面１８ａ上に、その略中心部間に渡すように別の同じパネル部材８が後から配置される。
【００１２】
このことにより、図１７に示すように、パネル部材８が配置されていない領域の無いフリーアクセスフロア２が形成されるようになっている。このようなフリーアクセスフロア２の床下の、下地床面６との間の空間には、電線等の各種のケーブル３２を通すことができる。
【特許文献１】特許第２７７８５３８号公報
【発明の開示】
【発明が解決しようとする課題】
【００１３】
しかしながら、上述したような従来の支持台連結ユニット４においては、これを用いて敷設されるフリーアクセスフロア２の床下にケーブル３２を配線する場合に、複数のケーブル同士が並行に配線されたり、交差するように配線されたりすることがある。フリーアクセスフロアの下に落とし込んだケーブルは、引っ張って（引き摺って）配線することが多い。同時に複数のケーブルを配線したり、既存のケーブルが配線されている場所に新しいケーブルを配線したりする場合には、ケーブル同士が互いに高さ方向に接触したり絡まったりして、スムーズに配線できないという問題があった。
【００１４】
また例えば、ほぼ同一経路を通る複数のケーブル３２のうちの１本が信号線（弱電のケーブル）であって、他の１本が電力供給線（強電のケーブル）である場合には、このような信号線と電力供給線とが互いに高さ方向に接近して配線されると、電力供給線から発生する誘導起電力が、信号線の送信信号にノイズとして混入してしまうおそれがあり、このような場合には、ケーブル同士の接触を防止する部材を別途用意する必要があり、部品数が増えたり、手間が掛かるという問題があった。
【００１５】
そこで本発明は、上記問題点に鑑みて、フリーアクセスフロアの床下を通るケーブル同士を、必要に応じて高さ方向に離して配線することができる支持台連結ユニットを提供することを課題とするものである。
【課題を解決するための手段】
【００１６】
上記課題を解決するために本発明は、
フリーアクセスフロアに用いられるパネル部材を支持する支持台と、この支持台の下端部同士を連結し、支持台同士の間隔を保持する連結帯とを備えた支持台連結ユニットであって、
前記支持台に支持された前記パネル部材の下方を通る複数のケーブル同士を互いに高さ方向に離間させる高さ方向離間部材を有することを特徴とするものである。
【００１７】
また、本発明による支持台連結ユニットは、前記高さ方向離間部材が、当該支持台連結ユニットを載置する載置面から高さ方向に離れて略水平方向に伸びるよう形成されることを特徴とするものである。
【００１８】
また、本発明による支持台連結ユニットは、
前記連結帯の長さ方向の両端側のそれぞれに、この連結帯の長さ方向に厚さを有し、この厚さ方向に互いに離れて対向するように配置される一対の支持板が設けられ、
前記高さ方向離間部材が、前記一対の支持板の間に連続して、又は途中で分断されて設けられた横棒であることを特徴とするものである。
【００１９】
また、本発明による支持台連結ユニットは、前記高さ方向離間部材が、前記横棒同士の間に連続して、又は途中で分断されて設けられた横板であることを特徴とするものである。
【００２０】
また、本発明による支持台連結ユニットは、前記横棒及び前記横板の少なくとも一方が、水平方向離間用突起部を有することを特徴とするものである。
【発明の効果】
【００２１】
このような本発明の支持台連結ユニットによれば、
フリーアクセスフロアに用いられるパネル部材を支持する支持台と、この支持台の下端部同士を連結し、支持台同士の間隔を保持する連結帯とを備えた支持台連結ユニットであって、
前記支持台に支持された前記パネル部材の下方を通る複数のケーブル同士を互いに高さ方向に離間させる高さ方向離間部材を有することにより、
フリーアクセスフロアの床下を通るケーブル同士を、必要に応じて互いに高さ方向に離して配線することができる。
【００２２】
また、本発明の支持台連結ユニットは、前記高さ方向離間部材が、当該支持台連結ユニットを載置する載置面から高さ方向に離れて略水平方向に伸びるよう形成されることにより、
前記高さ方向離間部材の上側に通すケーブルを、この高さ方向離間部材の上に安定して載せることができる。
【００２３】
また、本発明の支持台連結ユニットは、
前記連結帯の長さ方向の両端側のそれぞれに、この連結帯の長さ方向に厚さを有し、この厚さ方向に互いに離れて対向するように配置される一対の支持板が設けられ、
前記高さ方向離間部材が、前記一対の支持板の間に連続して、又は途中で分断されて設けられた横棒であることにより、
前記横棒の上側と下側にケーブルを配線することができるので、フリーアクセスフロアの床下を通るケーブル同士を、必要に応じて互いに高さ方向に離して配線することができる。
【００２４】
また、本発明の支持台連結ユニットは、前記高さ方向離間部材が、前記横棒同士の間に連続して、又は途中で分断されて設けられた横板であることにより、
前記横棒の上側に載置して配線したケーブルが、この横棒同士の間で弛んでしまうのを前記横板により受けて防止することができるので、このような横棒と横板の上側を通るケーブルが、横棒と横板の下側を通るケーブルに高さ方向に近づいたり接触したりするのを防止することができる。
【００２５】
また、本発明の支持台連結ユニットは、前記横棒及び前記横板の少なくとも一方が、水平方向離間用突起部を有することにより、
前記横棒及び前記横板の少なくとも一方よりも上側を通るケーブル同士を水平方向に離して配線することができる。
【発明を実施するための最良の形態】
【００２６】
以下、本発明に係る支持台連結ユニットを実施するための最良の形態について、図面に基づいて具体的に説明する。
図１から図３は、本発明の第１の実施の形態に係る支持台連結ユニット４０について説明するために参照する図である。従来と同様の部分には同じ符号を用いて説明し、従来と同様の構成についての重複する説明はできるだけ省略するものとする。
【００２７】
図１，２は、本実施の形態に係る支持台連結ユニット４０を示す平面図及び正面図である。同図に示すように、支持台連結ユニット４０は、水平面において互いに直交する二方向に３行３列に並んで配置された９つの支持台１２を有すると共に、図１９，２０に示す前記従来の支持台連結ユニット４の支持台連結帯２２とは異なる支持台連結帯４２（以下、「連結帯４２」という。）を有している。
【００２８】
図１，２中には図示されていないが、支持台連結ユニット４０は、図２０に示す前記従来の支持台連結ユニット４と同様に、各支持台１２の受け台２０にパイプ材１６の下端部が嵌合するようになっているので、結局、図１，２に示す本実施の形態に係る支持台連結ユニット４０の連結帯４２は、前記従来の支持台連結ユニット４の連結帯２２と同様に、各受け台２０を介して支持台１２同士を連結するように機能する。
【００２９】
また、各連結帯４２は、その長さ方向におけるほぼ中央の位置の上面に、一定高さを有するよう一体的に形成された突起部４４を有している。
【００３０】
また、支持台連結ユニット４０は、各連結帯４２の両端側に設けられた２枚の支持板４８と、この２枚の支持板４８の間を渡すように設けられた２本の横棒５０（高さ方向離間部材に相当）を備えている。各支持板４８は、連結帯４２の長さ方向と平行方向に厚さを有しており、また、連結帯４２の長さ方向と直角方向かつ水平方向に一定長さを有している。
【００３１】
そして、２枚の各支持板４８は、その長さ方向の中央部において連結帯４２に一体的に固定されており、互いに連結帯４２の長さ方向に一定間隔だけ離れて対向するように配置されている。
【００３２】
また、２本の横棒５０は、連結帯４２の長さ方向と平行方向に長さを有し、互いにこの長さ方向と直角方向かつ水平方向に一定間隔だけ離れて同じ高さに配置されている。そして、各横棒５０における長さ方向の両端部は、前記２枚の支持板４８の互いに対向する面のそれぞれに突き当たって一体的に形成されている。このような２枚の支持板４８、及び２本の横棒５０は、対応する連結帯４２と一体的に形成されている。
【００３３】
このような本実施の形態に係る支持台連結ユニット４０によれば、連結帯４２に突起部４４が設けられていることにより、この突起部４４によって連結帯４２と直交する複数のケーブル３２を水平方向に分離して配線することができる。
【００３４】
また、このような本実施の形態に係る支持台連結ユニット４０によれば、横棒５０が設けられていることにより、この横棒５０の上側と下側に複数のケーブル３２のそれぞれを配線することができるので、フリーアクセスフロアの床下を通るケーブル３２同士を、必要に応じて互いに高さ方向に離して配線することができる。
【００３５】
例えば、図３に示すように、２本のケーブル３２ａ，３２ｂ同士が、ほぼ同一経路を通って、かつ、互いに接近し過ぎないように配線される必要があるような場合でも、一方のケーブル３２ａが横棒５０の上側を通るように配線すると共に、他方のケーブル３２ｂが横棒５０の下側を通るように配線することにより、ケーブル３２ａ，３２ｂ同士を互いに高さ方向に離して配線することができる。
【００３６】
このように本実施の形態によれば、フリーアクセスフロアの床下を通るケーブル同士を、必要に応じて高さ方向に離して配線することができる
【００３７】
次に、図４は、本発明の第２の実施の形態に係る支持台連結ユニット６０について説明するために参照する図である。
前記第１の実施の形態に係る支持台連結ユニット４０と同様の部分には同じ符号を用いて説明し、前記第１の実施の形態と同様の構成についての重複する説明は省略するものとする。
【００３８】
本実施の形態に係る支持台連結ユニット６０は、図４に示すように、前記第１の実施の形態に係る支持台連結ユニット４０の横棒５０に相当する、横棒６２（高さ方向離間部材に相当）が、その長さ方向の中間位置で分断されている。
【００３９】
このような本実施の形態に係る支持台連結ユニット６０によれば、前記第１の実施の形態と同様に、横棒６２が設けられていることにより、この横棒６２の上側と下側に不図示のケーブル３２を配線することができるので、フリーアクセスフロアの床下を通る不図示のケーブル３２同士を、必要に応じて互いに高さ方向に離して配線することができる。
【００４０】
また、本実施の形態に係る支持台連結ユニット６０によれば、横棒６２が、その長さ方向の中間位置で分断されていることにより、配線作業時に横棒６２と交差する方向に伸びる不図示のケーブル３２を、横棒６２の分断箇所から下側に落とし込むことができるので、横棒６２の下側に通す不図示のケーブル３２を容易に配線することができる。
【００４１】
次に、図５は、本発明の第３の実施の形態に係る支持台連結ユニット７０について説明するために参照する図である。
前記第１の実施の形態に係る支持台連結ユニット４０と同様の部分には同じ符号を用いて説明し、前記第１の実施の形態と同様の構成についての重複する説明は省略するものとする。
【００４２】
図５に示すように、本実施の形態に係る支持台連結ユニット７０は、高さ方向離間部材として横棒５０と横板７４とを備えている。支持台連結ユニット７０の横板７４のうちの１枚である横板７４Ａに着目すると、この横板７４Ａは、横棒５０に相当する代替部分５０Ａと５０Ｂとの間にわたって延在し、両端部の代替部分５０Ａ，５０Ｂと一体化されている。
【００４３】
つまり、横板７４Ａは、その両端部の代替部分５０Ａ，５０Ｂの長さ（図５中、縦方向の長さ）と同じ寸法の幅を有しており、また、横棒５０の厚さ（図５中、紙面に垂直方向の寸法）と同じ厚さを有している。このため、この横板７４Ａの外形は、横板７４Ａのその長さ方向（図５中、横方向）の両端部のそれぞれの外形に代替部分５０Ａ，５０Ｂのそれぞれが取り込まれて一体化しているので、外観上、横板７４Ａと、この横板７４Ａ両端部の代替部分５０Ａ，５０Ｂのそれぞれは、区別がつかないようになっている。
【００４４】
また、横板７４Ａ以外の他の横板７４も、横板７４Ａと同様に構成されている。したがって、横板７４は、総括的には、図５中の縦方向に長さを有する代替部分５０Ａ，５０Ｂのそれぞれが、互いに対向する一対の支持板４８のそれぞれの間に設けられて、互いに対向するように配置された代替部分５０Ａ，５０Ｂ同士の間にわたって延在するように、代替部分５０Ａ，５０Ｂと一体化されているものであるということができる。
【００４５】
このような本実施の形態に係る支持台連結ユニット７０によれば、前記第１の実施の形態と同様に、横棒５０及び横板７４が設けられていることにより、フリーアクセスフロアの床下を通る不図示のケーブル３２同士を、必要に応じて互いに高さ方向に離して配線することができる。
【００４６】
すなわち、図６に示すように、横板７４が設けられていることによりケーブル３２ａが、横板７４の長さ方向と交差して横板７４の上を通るように、図６中の縦方向に伸びることにより、横棒５０の上側に載置して配線されるケーブル３２ａが、横棒５０同士の間で弛んで垂れ下がってしまうのを横板７４が受けて防止することができる。このため、このようなケーブル３２ａが、このケーブル３２ａと同じ方向に伸びて横棒５０及び横板７４の下側を通る他のケーブル３２ｂに、高さ方向に近づいたり接触したりするのを防止することができる。
【００４７】
また、本実施の形態に係る支持台連結ユニット７０によれば、図７に示すように、横板７４の長さ方向（図７中横方向）に伸びて横棒５０の上側に載置して配線されるケーブル３２ａも、横棒５０同士の間で弛んで垂れ下がってしまうのを横板７４が受けて防止することができる。このため、このようなケーブル３２ａが、このケーブル３２ａと同じ方向に伸びて横棒５０及び横板７４の下側を通る他のケーブル３２ｂに、高さ方向に近づいたり接触したりするのを防止することができる。
【００４８】
次に、図８から図１６は、本発明の第４の実施の形態に係る支持台連結ユニット８０について説明するために参照する図である。
前記第３の実施の形態に係る支持台連結ユニット７０と同様の部分には同じ符号を用いて説明し、前記第１の実施の形態と同様の構成についての重複する説明は省略するものとする。
【００４９】
図８は本実施の形態に係る支持台連結ユニット８０を示す平面図、図９は図８における支持台連結ユニット８０のＡ−Ａ線矢視図、図１０は図８における支持台連結ユニット８０のＤ−Ｄ線矢視図である。支持台連結ユニット８０は、これらの図に示すように、高さ方向離間部材として横棒８２及び横板８４を備えている。
【００５０】
横棒８２は、図４に示す、前記第２の実施の形態に係る支持台連結ユニット６０の横棒６２と同様に、一対の支持板４８間の長さ中間位置で分断されている。また、横棒８２は、このような分断箇所で互いに対向するようになっている先端部のそれぞれに、上方に高さを有する突起部８８を有している。なお、この突起部８８は、突起部９０と合わせて、後述するように水平方向離間用突起部として機能するものである。
【００５１】
次に、支持台連結ユニット８０の横板８４について説明する。横板８４についての説明は、この横板８４を構成する、そのうちの１枚である横板８４Ａに着目して行う。横板８４Ａは、図８における、縦方向に長さを有する横棒８２のうち、横棒８２に相当する代替部分８２Ａと８２Ｂにわたって延在する２枚の横板８４ａと８４ｂとから構成され、かつこれら２枚の横板８４ａと８４ｂは、横棒８２Ａと８２Ｂとの間の長さ中央部において２つに分断されているので、結局横板８４Ａは、４片で構成されているものである。
【００５２】
このため、本実施の形態では、このように分割された４片すべてが１つの横板８４Ａを構成しているものとして扱うこととする。また、横板８４Ａ以外の他の横板８４も、横板８４Ａと同様の４片から構成されている。
【００５３】
支持台連結ユニット８０の横板８４において、横板８４ａ，８４ｂのそれぞれは、このような長さ中間位置の分断箇所において、その長さ方向に互いに対向する先端部のそれぞれが、その幅方向（図８中、縦方向）の両外側に拡幅して形成されている。
【００５４】
そして、横板８４ａ，８４ｂのそれぞれは、図８，１１，１２に示すように、このように拡幅した両外側の拡幅部分に、上方に高さを有するように形成された突起部９０を有している。また、横板８４Ａ以外の他の横板８４も、このような横板８４Ａにおける突起部９０と同様の突起部９０を有している。
【００５５】
このような横板８４の突起部９０は、図９と図１１とを比較して分かるように、支持台連結ユニット８０の突起部９０の外形の輪郭が、横棒８２の突起部８８の外形の輪郭と一致して、互いに重なり合って見えるように構成されている。また、横板８４の突起部９０は、図１０と図１２とを比較して分かるように、支持台連結ユニット８０の突起部９０の外形の輪郭が、横棒８２の突起部８８の外形の輪郭と一致して、互いに重なり合って見えるように構成されている。
【００５６】
このような本実施の形態に係る支持台連結ユニット８０によれば、前記第３の実施の形態における横棒５０と同様の、横棒８２が設けられていることにより、この横棒８２の上側と下側にケーブル３２を配線することができるので、フリーアクセスフロアの床下を通るケーブル３２同士を、必要に応じて互いに高さ方向に離して配線することができる。
【００５７】
また、本実施の形態に係る支持台連結ユニット８０によれば、前記第３の実施の形態と同様に、図１３から図１６に示すように、横板８４の長さ方向（図１３，１５中横方向）に伸びて横棒８２の上側に載置して配線されるケーブル３２ａが、横棒８２同士の間で弛んでしまうのを防止することができる。
【００５８】
これにより、支持台連結ユニット８０は、このような横棒８２の上側を通るケーブル３２ａが、図１３，１４に示すように、この上側のケーブル３２ａと平行方向に伸びて、横棒８２の下側を通るように配線された他のケーブル３２ａに対して、或いは図１５，１６に示すように、この上側のケーブル３２ａと交差する方向に伸びて、横棒８２と横板８４の下側を通るように配線された他のケーブル３２ｂに対して、高さ方向に近づいたり接触したりするのを防止することができる。
【００５９】
また、本実施の形態に係る支持台連結ユニット８０によれば、図示しないが（図６，８参照）、横板８４の長さ方向と交差するように伸びて横棒８２の上側に載置して配線されるケーブル３２ａも、横棒８２同士の間を横板８４が受けることができるので、ケーブル３２ａが弛んで垂れ下がってしまうのを防止することができる。このため、このようなケーブル３２ａが、このケーブル３２ａと平行方向又は交差する方向に伸びて、横棒８２と横板８４の下側を通るように配線された他のケーブル３２ｂに対して高さ方向に近づいたり接触したりするのを防止することができる。
【００６０】
また、本実施の形態に係る支持台連結ユニット８０によれば、図１３から図１６に示すように、横棒８２及び横板８４のそれぞれが、その長さ方向の中間位置で分断されていることにより、配線作業時に横棒８２及び／又は横板８４と交差する方向に伸びるケーブル３２ｂを、横棒８２及び／又は横板８４の各分断箇所から下側に落とし込むことができるので、横棒８２及び／又は横板８４の下側に通すケーブル３２ｂを容易に配線することができる。
【００６１】
また、本発明の支持台連結ユニット８０によれば、突起部８８，９０により、横棒８２及び／又は横板８４よりも上側を通るケーブル３２ａ同士を水平方向に離して配線することができる。
【００６２】
また、本発明の支持台連結ユニット８０によれば、横棒８２及び横板８４のそれぞれを有するため、立体的に配線することができ、フリーアクセスフロアの下に配線空間を有効に使うことができる。
【００６３】
また、本発明の支持台連結ユニット８０によれば、横棒８２及び横板８４のそれぞれは水平方向離間用突起部としての突起部８８，９０を有するため、高さ方向に加えて水平方向でもケーブル３２同士を離間させることができる。
【００６４】
なお、前記第３の実施の形態に係る支持台連結ユニット７０においては、図５に示すように、横板７４は、その長さ方向（図５中、横方向）の中間位置で分断したような構成となるように形成されていなかったが、長さ方向の中間位置で分断されていてもよい。
【００６５】
また、前記第１から第３の実施の形態に係る支持台連結ユニット４０，６０，７０は、前記第４の実施の形態に係る支持台連結ユニット８０の突起部８８，９０に相当するものを有していなかったが、前記第１から第３の実施の形態に係る支持台連結ユニット４０，６０，７０における、横棒５０，６２及び／又は横板７４（図１，４，５参照）の任意の位置に突起部８８，９０に相当するものを設けてもよい。
【００６６】
また、前記第１から第４の実施の形態に係る支持台連結ユニット４０，６０，７０，８０においては、支持板４８は、対応する連結帯４２と一体的に形成されるよういなっていたが、支持板４８が連結帯４２に対して着脱自在にされていてもよい。
【００６７】
また、前記第１から第４の実施の形態に係る支持台連結ユニット４０，６０，７０，８０においては、高さ方向離間部材として、横棒５０，６２，８２及び横板７４，８４を備えるようになっていたが、高さ方向離間部材は、このようなものに限定されない。
【００６８】
例えば、図２０に示す従来の支持台連結ユニット４において、隣り合って配置される任意の支持台１２のパイプ材１６同士の間をその高さ中間位置で直接渡すような不図示の棒材等を、高さ方向離間部材として設けるようにしてもよい。
【図面の簡単な説明】
【００６９】
【図１】本発明の第１の実施の形態に係る支持台連結ユニット４０を示す平面図である。
【図２】本発明の第１の実施の形態に係る支持台連結ユニット４０を示す正面図である。
【図３】本発明の第１の実施の形態に係る支持台連結ユニット４０を示す図であって、２本のケーブル３２が互いに平行に、かつ、異なる高さで配線された状態を示す平面図である。
【図４】本発明の第２の実施の形態に係る支持台連結ユニット６０を示す平面図である。
【図５】本発明の第３の実施の形態に係る支持台連結ユニット７０を示す平面図である。
【図６】本発明の第３の実施の形態に係る支持台連結ユニット７０を示す図であって、２本のケーブル３２のそれぞれが横板７４の長さ方向と交差する方向に伸びて、互いに平行に、かつ、異なる高さで配線された状態を示す平面図である。
【図７】本発明の第３の実施の形態に係る支持台連結ユニット７０を示す図であって、２本のケーブル３２ａ，３２ｂのそれぞれが横板７４の長さ方向と平行方向に伸びて、互いに平行に、かつ、異なる高さで配線された状態を示す平面図である。
【図８】本発明の第４の実施の形態に係る支持台連結ユニット８０を示す平面図である。
【図９】図８における支持台連結ユニット８０を示すＡ−Ａ線矢視図である。
【図１０】図８における支持台連結ユニット８０を示すＤ−Ｄ線矢視図である。
【図１１】図８における支持台連結ユニット８０を示すＢ−Ｂ線矢視図である。
【図１２】図８における支持台連結ユニット８０を示すＣ−Ｃ線矢視図である。
【図１３】本発明の第４の実施の形態に係る支持台連結ユニット８０を示す図であって、横棒８２及び横板８４の上側を通る２本のケーブル３２ａと、横棒８２及び横板８４の下側を通る他の２本のケーブル３２ｂとが、互いに平行になるように配線された状態を示す平面図である。
【図１４】図１３に示す支持台連結ユニット８０を示すＡ−Ａ線矢視図である。
【図１５】本発明の第４の実施の形態に係る支持台連結ユニット８０を示す図であって、横棒８２及び横板８４の上側を通る２本のケーブル３２ａと、横棒８２及び横板８４の下側を通る他の２本のケーブル３２ｂとが、互いに交差するように配線された状態を示す平面図である。
【図１６】図１５に示す支持台連結ユニット８０を示すＤ−Ｄ線矢視図である。
【図１７】従来のフリーアクセスフロア２を敷設した部屋内の壁３寄りの領域を示す平面図である。
【図１８】図１７に示す従来のフリーアクセスフロア２の敷設作業の途中段階にある複数のパネルユニット３１を示す平面図である。
【図１９】図１８中の支持台連結ユニット４だけを取り出して示すその平面図である。
【図２０】図１９における支持台連結ユニット４のＹ−Ｙ線矢視図である。
【図２１】図１９中のキャップ１８だけを取り出して示すその平面図である。
【図２２】図１８中のパネル部材８だけを取り出して示すその平面図である。
【符号の説明】
【００７０】
２  フリーアクセスフロア
３  壁
４，４Ａ  支持台連結ユニット
６  下地床面
８  パネル部材
１２  支持台
１６  パイプ材
１８  キャップ
１８ａ  上端面
２０  受け台
２２，２２Ａ  支持台連結帯
２４  嵌合部
２６  溝部
２８  天板部
３０  側板部
３１  パネルユニット
３２  ケーブル
４０  支持台連結ユニット
４２  支持台連結帯
４４  水平方向離間用突起
４８  支持板
５０，５０Ａ，５０Ｂ  横棒
６０  支持台連結ユニット
６２  横棒
７０  支持台連結ユニット
７４  横板
８０  支持台連結ユニット
８２，８２Ａ，８２Ｂ  横棒
８４，８４Ａ，８４ａ，８４ｂ  横板
８８，９０  突起部
【図１】
2009079377.tif 000003
【図２】
2009079377.tif 000004
【図３】
2009079377.tif 000005
【図４】
2009079377.tif 000006
【図５】
2009079377.tif 000007
【図６】
2009079377.tif 000008
【図７】
2009079377.tif 000009
【図８】
2009079377.tif 000010
【図９】
2009079377.tif 000011
【図１０】
2009079377.tif 000012
【図１１】
2009079377.tif 000013
【図１２】
2009079377.tif 000014
【図１３】
2009079377.tif 000015
【図１４】
2009079377.tif 000016
【図１５】
2009079377.tif 000017
【図１６】
2009079377.tif 000018
【図１７】
2009079377.tif 000019
【図１８】
2009079377.tif 000020
【図１９】
2009079377.tif 000021
【図２０】
2009079377.tif 000022
【図２１】
2009079377.tif 000023
【図２２】
2009079377.tif 000024